【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有し、前記ヘルメット本体の前記溝部に係合する平面Ｕ字型のユニットとの係合を確実にする係合手段を少なくとも前記ヘルメット本体の前記横部に有することを特徴とするヘルメット。
【請求項２】
ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有し、前記ヘルメットは前記前頭部から延設された鍔部を有していて、前記透明窓が前記鍔部にも延設されているヘルメットの前記溝部に係合させた場合に、前記ヘルメット本体の外面から大きく突出しないで前記溝部に係合する平面Ｕ字型のユニットであって、前記溝部と前記ユニットの係合を確実にする係合手段を少なくとも前記ヘルメット本体の前記横部と前記ユニットの前記横部に係合する対応部とに有する多機能ユニットを、前記溝部に係合させたことを特徴とする多機能ユニット付ヘルメット。
【請求項３】
前記ユニットは、中空であり、前記中空部に少なくとも電気配線を有し、前記ユニットの前記前頭部に係合する部分に前記前頭部前方を撮影するためのカメラを有し、前記カメラからの信号を前記電気配線で前記横部に係合する前記ユニットの部分の少なくとも一方に設けられた出力端子に供給されるように構成したことを特徴とする請求項２に記載の多機能ユニット付ヘルメット。
【請求項４】
前記中空部に外部からの電波を受信するための受信回路を収納し、前記受信回路からの出力を前記ユニット外に取り出せるアウトプット端子を前記横部に係合する前記ユニットの部分の少なくとも一方に設け、前記中空部に、送信回路を配設したことを特徴とする請求項３に記載の多機能ユニット付ヘルメット。
【請求項５】
前記中空部に、前記カメラ、前記受信回路および／または前記送信回路を駆動する電源を有し、前記電気配線でそれぞれに電気的に接続されていることを特徴とする請求項３または４のいずれかに記載の多機能ユニット付ヘルメット。
【請求項６】
マイクロフォンを配備し、前記ヘルメット本体の前記横部の少なくとも一方に前記カメラで撮影された画像情報と前記マイクロフォンで採音された音声入力とを記録するための外部の記録装置に出力するための録画・録音端子を有することを特徴とする請求項３乃至５のいずれかに記載の多機能ユニット付ヘルメット。
【請求項７】
前記電源が充電可能な電源であって、前記電源に電気的に接続された充電のための充電端子を、前記電源を有する前記横部に係合する前記ユニットの部分に有することを特徴とする請求項５に記載の多機能ユニット付ヘルメット。
【請求項８】
少なくとも前記ユニットの前記前頭部に係合する部分の底面で、前記カメラの近傍に電源のオン・オフを表示するＬＥＤと、前記ＬＥＤと同一あるいは異なり、前記カメラの撮影状態を表示するＬＥＤを配設し、前記ヘルメットの装着者が前記透明窓を通して前記表示を見られるように構成したことを特徴とする請求項２に記載の多機能ユニット付ヘルメット。
【手続補正２】
【補正対象書類名】明細書
【補正対象項目名】０００９
【補正方法】変更
【補正の内容】
【０００９】  本発明は、請求項１に記載したように、ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有し、前記ヘルメット本体の前記溝部に係合する平面Ｕ字型のユニットとの係合を確実にする係合手段を少なくとも前記ヘルメット本体の前記横部に有することを特徴とするヘルメットが上記課題の解決に有用であることを見出したものである。また、前記ヘルメットは、前記前頭部から延設された鍔部を有し、前記透明窓が前記鍔部にも延設されているヘルメットであることが更に好ましい。
【手続補正３】
【補正対象書類名】明細書
【補正対象項目名】００１０
【補正方法】変更
【補正の内容】
【００１０】また、前記ユニットは、メモリー手段を着脱自在にする着脱口を前記ヘルメットの前記横部に係合する前記ユニットの部分の底部に有していて、前記部分の底部に少なくとも二つの外部端子も有し、前記外部端子および前記着脱口に電気部品の着脱を可能にするスペースをヘルメット本体に設けるとともに、前記底面に対応する部分のヘルメット本体に封鎖部を有することが望ましい。
【手続補正４】
【補正対象書類名】明細書
【補正対象項目名】００１１
【補正方法】変更
【補正の内容】
【００１１】また、前記鍔部先端付近にスポーツファインダーを着脱自在に装着する装着部と有し、前記スポーツファインダーは、前記ユニットが前記前頭部対応位置にカメラを有し前方を撮影可能なときに撮影範囲を示すものであることが望ましい。さらに、前記スポーツファインダーは、折りたたみ可能であることが望ましい。
【手続補正５】
【補正対象書類名】明細書
【補正対象項目名】００１２
【補正方法】変更
【補正の内容】
【００１２】  このようなヘルメットを用い、前記溝部に係合する多機能ユニットを装着した多機能ユニット付ヘルメットは、好ましく用いられ、請求項２においてヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有し、前記ヘルメットは前記前頭部から延設された鍔部を有していて、前記透明窓が前記鍔部にも延設されているヘルメットの前記溝部に係合させた場合に、前記ヘルメット本体の外面から大きく突出しないで前記溝部に係合する平面Ｕ字型のユニットであって、前記溝部と前記ユニットの係合を確実にする係合手段を少なくとも前記ヘルメット本体の前記横部と前記ユニットの前記横部に係合する対応部とに有する多機能ユニットを、前記溝部に係合させた多機能ユニット付ヘルメットを開示している。
【手続補正６】
【補正対象書類名】明細書
【補正対象項目名】００１３
【補正方法】変更
【補正の内容】
【００１３】請求項３において、前記ユニットは、中空であり、前記中空部に少なくとも電気配線を有し、前記ユニットの前記前頭部に係合する部分に前記前頭部前方を撮影するためのカメラを有し、前記カメラからの信号を前記電気配線で前記横部に係合する前記ユニットの部分の少なくとも一方に設けられた出力端子に供給されるように構成した請求項２に記載の多機能ユニット付ヘルメットを開示している。請求項４で、前記中空部に外部からの電波を受信するための受信回路を収納し、前記受信回路からの出力を前記ユニット外に取り出せるアウトプット端子を前記横部に係合する前記ユニットの部分の少なくとも一方に設け、前記中空部に、送信回路を配設した請求項３に記載の多機能ユニット付ヘルメットを開示している。
【手続補正７】
【補正対象書類名】明細書
【補正対象項目名】００１４
【補正方法】変更
【補正の内容】
【００１４】また、前記出力が音声出力であることが好ましい。また、前記中空部に、送信回路を配設することが好ましい。さらに、前記ユニットの前記カメラの近傍に、マイクロフォンを有することが好ましい。
【手続補正８】
【補正対象書類名】明細書
【補正対象項目名】００１５
【補正方法】変更
【補正の内容】
【００１５】請求項５において、前記中空部に、前記カメラ、前記受信回路および／または前記送信回路を駆動する電源を有し、前記電気配線でそれぞれに電気的に接続されている請求項３または４に記載の多機能ユニット付ヘルメットが開示されている。なお、前記中空部に、前記カメラおよび／または前記マイクロフォンからの出力を記録するための記録回路を有することが好ましい。そして、請求項６で、マイクロフォンを配備し、前記ヘルメット本体の前記横部の少なくとも一方に前記カメラで撮影された画像情報と前記マイクロフォンで採音された音声入力とを記録するための外部の記録装置に出力するための録画・録音端子を有する請求項３乃至５のいずれかに記載の多機能ユニット付ヘルメットを開示している。
【手続補正９】
【補正対象書類名】明細書
【補正対象項目名】００１６
【補正方法】変更
【補正の内容】
【００１６】また、前記カメラおよび／または前記マイクロフォンからの出力を記録するメモリーを着脱自在にする着脱口を有することが好ましい。請求項７で、前記電源が充電可能な電源であって、前記電源に電気的に接続された充電のための充電端子を、前記電源を有する前記横部に係合する前記ユニットの部分に有することを特徴とする請求項５に記載の多機能ユニット付ヘルメットを開示している。そして、前記ユニットの前記カメラ近傍で、前頭部前方方向の表面に撮影対象物を示すレーザービームポインターを有し、前記表面および／または底面に撮影状態を表示するＬＥＤランプを有することが好ましい。
【手続補正１０】
【補正対象書類名】明細書
【補正対象項目名】００１７
【補正方法】変更
【補正の内容】
【００１７】前記ユニットは、左右の重量バランスがほぼ取れているように構成されたものであることが好ましい。また、前記ユニットは、前頭部に係合する部分が、前記横部のいずれよりも軽く構成されたものであることが好ましい。
【手続補正１１】
【補正対象書類名】明細書
【補正対象項目名】００１８
【補正方法】変更
【補正の内容】
【００１８】請求項８では、少なくとも前記ユニットの前記前頭部に係合する部分の底面で、前記カメラの近傍に電源のオン・オフを表示するＬＥＤと、前記ＬＥＤと同一あるいは異なり、前記カメラの撮影状態を表示するＬＥＤを配設し、前記ヘルメットの装着者が前記透明窓を通して前記表示を見られるように構成した請求項２に記載の多機能ユニット付ヘルメットを開示している。前記鍔部先端付近にスポーツファインダーを着脱自在に装着する装着部を有し、前記スポーツファインダーは、前記ユニットの前記カメラの撮影範囲を示すものであることが好ましい。そして、前記スポーツファインダーは、折りたたみ可能であることが好ましい。
【手続補正１２】
【補正対象書類名】明細書
【補正対象項目名】００１９
【補正方法】変更
【補正の内容】
【００１９】  また、前記各請求項記載のヘルメットまたは、これら多機能ユニット付ヘルメットに用いられる多機能ユニットとして、ヘルメット本体の前頭部から二つの横部にかけて、前記ヘルメット本体の周端から特定の距離をおいて、上方から見たときＵ字型になるような溝部を設け、前記前頭部の少なくとも前記溝部の下側に前記ヘルメット裏側を透視できる透明窓部を有するヘルメットの前記溝部に係合させた場合に、前記ヘルメット本体の外面から大きく突出しないで前記溝部に係合するＵ字型ユニットであって、前記溝と前記ユニットの係合を確実にする係合手段を少なくとも前記ヘルメット本体の前記横部と前記ユニットの対応部とに有するヘルメット用多機能ユニットを好ましく用いることができる。
【手続補正１３】
【補正対象書類名】明細書
【補正対象項目名】００２０
【補正方法】変更
【補正の内容】
【００２０】前記ユニットは、中空であり、前記中空部に少なくとも電気配線を有し、前記ユニットの前記前頭部に係合する部分に前記前頭部前方を撮影するためのカメラを有し、前記カメラからの信号は前記電気配線で送信回路および／または記録回路に接続されるように構成されることが好ましい。また、前記中空部に、前記カメラ、前記送信回路および／または前記記録回路を駆動する電源を有し、前記電気配線でそれぞれに電気的に接続されていることが好ましい。
【手続補正１４】
【補正対象書類名】明細書
【補正対象項目名】００２１
【補正方法】変更
【補正の内容】
【００２１】前記電源は、取り外し可能であって、前記ユニット外から取替え可能であって、前記電源に代えて、外部電源からの電源供給を可能にする電源端子を、前記ヘルメット本体の前記横部に係合する前記ユニットの部分に設けることが好ましい。また、前記電源が充電可能な電源であって、前記ヘルメット本体の前記横部に係合する前記ユニットの部分に、前記電源に電気的に接続された充電端子を有することが好ましい。
【手続補正１５】
【補正対象書類名】明細書
【補正対象項目名】００２２
【補正方法】変更
【補正の内容】
【００２２】  前記ユニットのカメラ近傍で、カメラの撮影窓側の表面に撮影対象物をポイントするレーザーポインタを配設し、前記表面および／または底部に撮影状態を表示するＬＥＤランプを設けることが好ましい。また、前記カメラ近傍にマイクロフォンを有し、音声出力が前記送信回路および／または前記記録回路に電気的に接続されていることが好ましい。そして、前記送信回路および／または前記記録回路から外部メモリーに接続するための前記外部メモリーを受け入れる着脱口を、前記横部に係合する前記ユニットの部分に設けることが好ましい。
【手続補正１６】
【補正対象書類名】明細書
【補正対象項目名】００２３
【補正方法】変更
【補正の内容】
【００２３】前記空間に、外部からの電波を受信する受信回路を有し、前記受信回路および／または前記送信回路または前記記録回路からの音声出力を外部に伝える音声端子を有することが好ましい。また、前記横部に係合する前記ユニットの部分の底面に、少なくとも前記着脱口、前記充電端子および前記音声端子を有することが好ましい。また、前記横部に係合する前記ユニットの少なくとも一方の部分に、カメラの起動と停止を制御する制御回路に電気的に接続された制御スイッチを有し、前記レーザービームポインターの近傍に前記レーザービームポインターのオンオフスィッチを有することが好ましい。
【手続補正１７】
【補正対象書類名】明細書
【補正対象項目名】００２４
【補正方法】変更
【補正の内容】
【００２４】前記制御スイッチを一定時間以下の場合は、スチールカメラとして前記カメラを作動させ、前記一定時間以上の場合は、ムービーカメラとして前記カメラを作動させることが好ましい。前記電源のオン・オフを含み前記カメラの作動状況を前記ＬＥＤランプの点灯、点滅および／または色で表示するように構成することが好ましい。